(57)【要約】【課題】壁面に取り付けた場合にもリモコン装置からの遠隔操作で映像表示面の向く方向の調整をすることができ、使い勝手の良好なテレビジョン受像装置を提供する。【解決手段】装置本体１０と、自動首振り機構と、装置本体１０を壁面に固定するための壁掛け金具３０と、を備えたテレビジョン受像装置の壁掛けユニット１００において、壁掛け金具３０は、壁面に固定される壁面固定部３２と、装置本体１０を取り付けるための本体取付部３１とを備え、自動首振り機構は、装置本体１０に備えられた回動軸２０と、回動軸２０を回動自在に支持するとともに本体取付部１０に固定される支持部３１１と、回動軸２０を回動させる回動駆動部２１を備え、リモコン装置から送信されるリモート信号により、本体取付部３１に取り付けられた装置本体１０の回動軸２０を回動させることにより、当該装置本体１０を左右方向に回動させる。【選択図】図２
2009278586.tif 000002
【特許請求の範囲】
【請求項１】
スタンドに着脱自在に取り付けられ、映像を表示する表示部を備えた装置本体と、
前記スタンドに取り付けられた前記装置本体を、リモコン装置から送信されるリモート信号により左右方向に回動させる自動首振り機構と、
前記装置本体を壁面に固定するための壁掛け金具と、
を備えたテレビジョン受像装置の壁掛けユニットにおいて、
前記壁掛け金具は、壁面に固定される壁面固定部と、前記装置本体を取り付けるための本体取付部と、を備え、
前記自動首振り機構は、
前記装置本体に備えられた回動軸と、前記回動軸を回動自在に支持するとともに前記本体取付部に固定される支持部と、前記回動軸を回動させる回動駆動部と、を備え、
前記リモコン装置から送信されるリモート信号により、前記本体取付部に取り付けられた前記装置本体の回動軸を回動させることにより、当該装置本体を左右方向に回動させることを特徴とするテレビジョン受像装置の壁掛けユニット。
【請求項２】
前記壁面固定部と前記本体取付部とは、リンク部材を介して連結されていることを特徴とする請求項１記載のテレビジョン受像装置の壁掛けユニット。
【請求項３】
前記本体取付部を挟んで左右に夫々設けられ、一端が前記壁面に固定され、他端が前記装置本体に固定される左右一対の支持部材を備え、
前記左右一対の支持部材は、前記装置本体の回動に連動して互いに相反するように伸縮自在であることを特徴とする請求項２記載のテレビジョン受像装置の壁掛けユニット。
【請求項４】
前記左右一対の支持部材は、それぞれ内側筒体及び外側筒体からなる二重筒構造であり、前記内側筒体が前記外側筒体から出入りすることで前記支持部材が伸縮自在に構成されることを特徴とする請求項３に記載のテレビジョン受像装置の壁掛けユニット。
【請求項５】
スタンドに着脱自在に取り付けられ、映像を表示する表示部を備えた装置本体と、
前記スタンドに取り付けられた前記装置本体を、リモコン装置から送信されるリモート信号により左右方向に回動させる自動首振り機構と、
前記装置本体を壁面に固定するための壁掛け金具と、
を備えたテレビジョン受像装置の壁掛けユニットにおいて、
前記壁掛け金具は、壁面に固定される壁面固定部と、前記装置本体を取り付けるための本体取付部と、を備え、
前記自動首振り機構は、
前記装置本体に備えられた回動軸と、前記回動軸を回動自在に支持する支持部と、前記回動軸を回動させる回動駆動部と、を備え、
前記リモコン装置から送信されるリモート信号により、前記本体取付部に取り付けられた前記装置本体の回動軸を回動させることにより、当該装置本体を左右方向に回動させ、
前記壁面固定部と前記本体取付部とは、リンク部材を介して連結され、
前記本体取付部を挟んで左右に夫々設けられ、一端が前記壁面に固定され、他端が前記装置本体に固定される左右一対の支持部材を備え、
前記左右一対の支持部材は、それぞれ内側筒体及び外側筒体からなる二重筒構造であり、
前記左右一対の支持部材は、前記装置本体の回動に連動して互いに相反するように、前記内側筒体が前記外側筒体から出入りすることで伸縮自在であることを特徴とするテレビジョン受像装置の壁掛けユニット。
【発明の詳細な説明】
【技術分野】
【０００１】
本発明は、テレビジョン受像装置の壁掛けユニットに関する。
【背景技術】
【０００２】
近年、液晶ディスプレイ（ＬＣＤ：Liquid Crystal Display）やプラズマディスプレイ（ＰＤＰ：Plasma Display Panel）等のフラットディスプレイパネルを使用した大型かつ薄型のテレビジョン受像装置が普及している。
このようなテレビジョン受像装置において、室内で設置空間を容易に確保し、視聴者が視聴するのに最適な位置にテレビジョン受像装置を設置するため、壁面に取り付ける技術が知られている。
【０００３】
また、テレビジョン受像装置を壁面に取り付けた状態でテレビジョン受像装置の映像表示面の向く方向を調整するため、首振り自在な構成のものも提案されている（例えば、特許文献１〜４参照。）。
更に、スタンドに設置された際にリモコン装置からの遠隔操作が可能な自動首振り機構を備えたテレビジョン受像装置も知られている。
【特許文献１】特開２００４−３５４８０４号公報
【特許文献２】特開２００７−３３５９２９号公報
【特許文献３】特開２００７−２６７３８３号公報
【特許文献４】特開２０００−２６７５８１号公報
【発明の開示】
【発明が解決しようとする課題】
【０００４】
しかしながら、リモコン装置により遠隔操作可能な自動首振り機構を備えたテレビジョン受像装置は、壁面に取り付けられた際には、この遠隔操作の機能を有効に利用できず、手動で調製を行う構成となっていた。
このため、リモコン装置により遠隔操作可能な自動首振り機構を備えたテレビジョン受像装置を壁面に取り付けた場合には、わざわざテレビジョン受像装置近傍まで行ってディスプレイパネルの向きを調整する必要があり、使い勝手が悪いという問題があった。
【０００５】
本発明の課題は、壁面に取り付けた場合にもリモコン装置からの遠隔操作で映像表示面の向く方向の調整が可能であって、使い勝手の良好なテレビジョン受像装置の壁掛けユニットを提供することである。
【課題を解決するための手段】
【０００６】
前記課題を解決するために、請求項１に記載の発明は、
スタンドに着脱自在に取り付けられ、映像を表示する表示部を備えた装置本体と、
前記スタンドに取り付けられた前記装置本体を、リモコン装置から送信されるリモート信号により左右方向に回動させる自動首振り機構と、
前記装置本体を壁面に固定するための壁掛け金具と、
を備えたテレビジョン受像装置の壁掛けユニットにおいて、
前記壁掛け金具は、壁面に固定される壁面固定部と、前記装置本体を取り付けるための本体取付部と、を備え、
前記自動首振り機構は、
前記装置本体に備えられた回動軸と、前記回動軸を回動自在に支持するとともに前記本体取付部に固定される支持部と、前記回動軸を回動させる回動駆動部と、を備え、
前記リモコン装置から送信されるリモート信号により、前記本体取付部に取り付けられた前記装置本体の回動軸を回動させることにより、当該装置本体を左右方向に回動させることを特徴とする。
【０００７】
また、請求項２に記載の発明は、請求項１に記載のテレビジョン受像装置の壁掛けユニットにおいて、
前記壁面固定部と前記本体取付部とは、リンク部材を介して連結されていることを特徴とする。
【０００８】
また、請求項３に記載の発明は、請求項２記載のテレビジョン受像装置の壁掛けユニットにおいて、
前記本体取付部を挟んで左右に夫々設けられ、一端が前記壁面に固定され、他端が前記装置本体に固定される左右一対の支持部材を備え、
前記左右一対の支持部材は、前記装置本体の回動に連動して互いに相反するように伸縮自在であることを特徴とする。
【０００９】
また、請求項４に記載の発明は、請求項３に記載のテレビジョン受像装置の壁掛けユニットにおいて、
前記左右一対の支持部材は、それぞれ内側筒体及び外側筒体からなる二重筒構造であり、前記内側筒体が前記外側筒体から出入りすることで前記支持部材が伸縮自在に構成されることを特徴とする。
【００１０】
また、請求項５に記載の発明は、
スタンドに着脱自在に取り付けられ、映像を表示する表示部を備えた装置本体と、
前記スタンドに取り付けられた前記装置本体を、リモコン装置から送信されるリモート信号により左右方向に回動させる自動首振り機構と、
前記装置本体を壁面に固定するための壁掛け金具と、
を備えたテレビジョン受像装置の壁掛けユニットにおいて、
前記壁掛け金具は、壁面に固定される壁面固定部と、前記装置本体を取り付けるための本体取付部と、を備え、
前記自動首振り機構は、
前記装置本体に備えられた回動軸と、前記回動軸を回動自在に支持する支持部と、前記回動軸を回動させる回動駆動部と、を備え、
前記リモコン装置から送信されるリモート信号により、前記本体取付部に取り付けられた前記装置本体の回動軸を回動させることにより、当該装置本体を左右方向に回動させ、
前記壁面固定部と前記本体取付部とは、リンク部材を介して連結され、
前記本体取付部を挟んで左右に夫々設けられ、一端が前記壁面に固定され、他端が前記装置本体に固定される左右一対の支持部材を備え、
前記左右一対の支持部材は、それぞれ内側筒体及び外側筒体からなる二重筒構造であり、
前記左右一対の支持部材は、前記装置本体の回動に連動して互いに相反するように、前記内側筒体が前記外側筒体から出入りすることで伸縮自在であることを特徴とする。
【発明の効果】
【００１１】
本発明によれば、装置本体に備えられた回動軸が、壁掛け金具の本体取付部の支持部に回動自在に支持され、自動首振り機構は、リモコン装置から送信されるリモート信号により、本体取付部に取り付けられた装置本体の回動軸を回動させることにより、装置本体を左右方向に回動させるので、装置本体を、床面に設置するためのスタンド又は、壁面に設置するための壁掛け金具の何れに設置しても設置形態に関わらず自動首振り機構を利用することが可能である。
従って、壁面に取り付けた場合にも遠隔操作で表示部の向く方向の調整が可能であり、使い勝手を良好にすることができる。
【発明を実施するための最良の形態】
【００１２】
以下、本発明の実施の形態の一例について、図面に基づいて説明する。
図１は、スタンド５０に設置したテレビジョン受像装置１の外観斜視図である。
また、図２は、本発明のテレビジョン受像装置１の壁掛けユニット１００の側面図であり、図３は、図２に示すテレビジョン受像装置１の壁掛けユニット１００の平面図である。
【００１３】
本発明のテレビジョン受像装置１は、映像を表示する表示部１５を備えた装置本体１０と、装置本体１０を左右方向に回動させる回動軸２０と、回動軸２０を回動させる回動駆動部２１と、リモコン装置２(図６参照)と、を備えている。
具体的には、回動軸２０の下端部には、所定の角度範囲内において左右方向（周方向）に回動可能な回動駆動部２１が取り付けられており、スタンド５０に回動軸２０が取り付けられた場合には、リモコン装置２から送信されるリモート信号に応じて回動駆動部２１が駆動することによって装置本体１０が左右方向に回動するようになっている。
【００１４】
回動軸２０は、回動軸２０を回動自在に支持する支持部５１を有するスタンド５０に着脱自在に取り付けられている。
また、この回動軸２０は、装置本体１０を床面に設置するためのスタンド５０と、装置本体１０を壁面に設置するための壁掛け金具３０（後述）と、に選択的に取り付けられるようになっている。
【００１５】
以下、テレビジョン受像装置１を壁面に設置した場合の壁掛けユニット１００について詳細に説明する。
図２に示すように、壁掛けユニット１００は、装置本体１０、回動軸２０、回動駆動部２１、及びリモコン装置２等を備えたテレビジョン受像装置１と、この装置本体１０を壁面に固定するための壁掛け金具３０と、を備えている。
装置本体１０は、例えば、液晶ディスプレイ（ＬＣＤ）やプラズマディスプレイ（ＰＤＰ）等の薄型フラットパネルからなる表示部１５を前面に備えた筐体であって、装置本体１０の背面には、その中央の下部に位置するように回動軸２０が備えられている。回動軸２０の下端部には、上記した回動駆動部２１が備えられている。
また、回動軸２０はその下端部が装置本体１０の底面よりも突出するように備えられ、壁掛け金具３０の支持部３１１（後述）に支持されている。
【００１６】
また、壁掛けユニット１００には、リモコン装置２の送信部１８（図６参照）から送信される赤外線や電波等のリモート信号により、回動軸２０を左右方向に回動させるための自動首振り機構３が設けられている。
この自動首振り機構３は、例えば、回動軸２０と、回動軸２０を回動させる回動駆動部２１と、回動軸２０を回動自在に支持する支持部３１１と、等を備えて構成されており（図６参照）、回動駆動部２１の正・逆駆動により回動軸２０を時計回り方向又は反時計回り方向に回動させることで装置本体１０の表示部１５の向きを変更し得るようになっている。そして、表示部１５の垂線Ｐ上に利用者Ｕが位置する場合に、最適な視聴ポジションとなる。
【００１７】
壁掛け金具３０は、装置本体１０を安定して設置させるための本体取付部３１と、壁面に固定される壁面固定部３２と、本体取付部３１及び壁面固定部３２を伸縮可能に連結させるためのリンク機構３３と、を備えて構成されている。
【００１８】
本体取付部３１は、回動軸２０を回動自在に支持する支持部３１１を有しており、この支持部３１１に回動軸２０が支持されることで装置本体１０が本体取付部３１に軸着されている。
壁面固定部３２は、壁面に当接してボルト等により固定される板状部材である。
【００１９】
リンク機構３３は、図３及び図４に示すように、例えば、本体取付部３１及び壁面固定部３２にそれぞれ設けられた支持部３１ａ、３２ａと、支持部３１ａ、３２ａの間に設けられた３つのリンク部材３３１、３３２、３３３と、により構成されている。
３つのリンク部材３３１、３３２、３３３及び支持部３１ａ、３２ａは、上下方向に延在するヒンジ軸Ｌ１、Ｌ２、Ｌ３、Ｌ４を介して回動自在に軸着されており、装置本体１０の左右方向の回動に伴って回動する際、このリンク機構３３が適宜伸縮するようになっている。
このように、壁掛け金具３０は、リンク機構３３が伸縮することで装置本体１０と壁面との間隔が調整できるようになっている。
【００２０】
また、図３〜図５に示すように、装置本体１０の背面両側部には、一端が壁面に固定され他端が装置本体１０に固定された、左右で一対となる支持部材４０、４０が備えられている。
支持部材４０、４０は、それぞれ、内側筒体４１及び外側筒体４２からなる二重筒構造となっている。
装置本体１０及び壁面には、軸支持部４３、４３がそれぞれ設けられており、内側筒体４１の一端は、壁面に設けられた軸支持部４３に固定され、外側筒体４２の一端は、装置本体１０に設けられた軸支持部４３に固定されるようになっている。
具体的には、軸支持部４３、４３は、内側筒体４１及び外側筒体４２の一端が夫々挿通される開口部４４ａ、４４ａを備えた略球形の筒体支持部４４、４４を備えている。
この筒体支持部４４、４４には、軸芯が当該筒体支持部４４、４４の中心を通り、上下方向に突出して設けられた軸部４５、４５が備えられており、軸部４５、４５の上下の先端部は、装置本体１０又は壁面から垂直に設けられた軸受板４６、４６に各々回転自在に保持されている。
【００２１】
このような一対の支持部材４０、４０は、本体取付部３１を挟んで左右に夫々設けられており、装置本体１０の左右方向の回動に連動して互いに相反するように伸縮自在となっている。
すなわち、図４に示すように、一方の外側筒体４２の内に内側筒体４１が押し込まれると、他方では外側筒体４２の外に内側筒体４１が引出されるようになっている。
また、例えば、外側筒体４２は、壁面に向かって縮径するテーパ形状となっており、また、内側筒体４１も、壁面に向かって縮径するテーパ形状となっており、内側筒体４１が引出された場合に、所定の位置で、外側筒体４２の内径よりも内側筒体の外径の方が大きくなることで内側筒体４１の端部が外側筒体４２からはずれないように形成されている。
【００２２】
図６は、本実施形態に係るテレビジョン受像装置１の概略構成を示すブロック図である。
本実施形態のテレビジョン受像装置１は、アンテナ１１、チューナ１２、信号処理回路１３、デコーダ１４、表示部１５、スピーカ１６、操作部１７、送信部１８、受信部１９、回動軸２０、回動駆動部２１、制御部２２、及び回動角度演算部２３、を備えて構成される。特に、受信部１９、回動軸２０、回動駆動部２１、制御部２２、回動角度演算部２３、によって自動首振り機構３が実現される。
【００２３】
具体的には、チューナ１２は、アンテナ１１を介してテレビジョン放送信号（例えば、地上ディジタル放送、ＢＳディジタル放送、ＣＳディジタル放送）を選択的に受信する。
信号処理回路１３は、チューナ１２で受信した放送信号を復調するとともに、復調された放送信号を、コンテンツ情報（具体的には、映像データと音声データ）と番組情報に分離する。分離されたコンテンツ情報はデコーダ１４に供給される。
【００２４】
デコーダ１４は、信号処理回路１３から供給されたコンテンツ情報を復号化して映像信号および音声信号を生成する。復号化された映像信号は表示部１５に出力され、復号化された音声信号はスピーカ１６に出力される。
【００２５】
リモコン装置２は、例えば、複数の操作ボタンを備えた操作部１７と、この操作部１７からのリモート信号を送信する送信部１８と、を備えており、送信部１８から送信されたリモート信号に基づいて、回動軸２０が左右方向に回動する角度調整が実行される。また、送信部１８からの送信された入力信号に基づいて、チャンネル変更や音量調整が実行される。
受信部１９は、左右方向に複数の受信センサ（図示省略）を備えて構成され、何れかの受信センサによりリモコン装置２から発信されたリモート信号を受信する。
【００２６】
回動駆動部２１は、例えば、モータを備えており、制御部２２からの制御信号に基づいて回動軸２０を駆動させる。この回動駆動部２１によって回動軸２０を所定の角度θだけ回動させることで、装置本体１０の角度を調整する。
【００２７】
回動角度演算部２３は、受信部１９で取得されたリモート信号に基づいて、リモート信号の到来方向と表示部１５の正面方向との角度差θ、すなわち回動角度θを演算し、これを制御部２２に出力する。
具体的には、例えば、受信部１９は、送信部１８から送信されるリモート信号を複数の受信センサにより常時検出しており、この複数の受信センサにより検出されるリモート信号のレベル差より、リモート信号の到来方向及び、回動角度θを演算する。
なお、この回動角度の演算方法としては、これ以外にも公知の種々の方法を適用することが可能である。
【００２８】
図６に示すように、制御部２２は、例えば、図示は省略するが、ＣＰＵ、ＲＡＭ、及びＲＯＭを備えて構成される。例えば、ＣＰＵは、ＲＯＭに記憶されている角度調整に関するプログラムを読み出してＲＡＭの作業領域に展開し、これを実行することにより装置本体１の角度を調整する。
すなわち、受信部１９によって取得されたリモート信号に基づいて、当該リモート信号の発信源の方向を特定するとともに、特定された発信源の方向に表示部１５が向くように回動駆動部２１を制御する。
【００２９】
上述したテレビジョン受像装置１によれば、例えば、装置本体１０の表示部１５が利用者Ｕの正面に向いていない場合、すなわち表示部１５の垂線Ｐと利用者Ｕの方向が一致しない場合（θ≠０°）に、リモコン装置２の遠隔操作により装置本体１０の角度を調整することができる。
【００３０】
具体的には、利用者が、表示部１５の正面より少しずれた位置よりリモート信号を発信させた場合、制御部２２は、回動角度演算部２３によりリモート信号の到来方向と表示部１５の正面方向との角度差θ（回動角度θ）を算出し、これに基づいて回動駆動部２１を駆動させて回動軸２０を回転させる。よって、装置本体１０は回動角度θ分だけ回転し、表示部１５が利用者Ｕの正面に向くこととなる。
【００３１】
このとき、リンク機構３３を構成する３つのリンク部材３３１、３３２、３３３及び支持部３１ａ、３２ａは、ヒンジ軸Ｌ１、Ｌ２、Ｌ３、Ｌ４を介して回動自在に軸着されているため、装置本体１０の左右方向の回動に伴って、リンク部材３３１、３３２、３３３は伸びる方向に変形する。
【００３２】
また、支持部材４０、４０は、回動軸２０の回動に伴って、一方は壁面に押し付けられる方向に力が働くため外側筒体４２内部に内側筒体４１が押し込まれ、他方は伸びる方向に力が働くため外側筒体４２の外に内側筒体４１が引出される。
すなわち、装置本体１０の回動に連動して、互いに相反するように伸縮する。
【００３３】
以上のように、本発明のテレビジョン受像装置１によれば、装置本体１０に備えられた回動軸２０が、壁掛け金具３０の本体取付部３１の支持部３１１に回動自在に支持され、自動首振り機構３は、リモコン装置２から送信されるリモート信号により、本体取付部３１に取り付けられた装置本体１０の回動軸２０を回動させることにより、装置本体１０を左右方向に回動させるので、装置本体１０を、床面に設置するためのスタンド５０又は、壁面に設置するための壁掛け金具３０の何れに設置しても設置形態に関わらず自動首振り機構３を利用することが可能である。
従って、壁面に取り付けた場合にも遠隔操作で表示部１５の向く方向の調整が可能であり、使い勝手を良好にすることができる。
【００３４】
また、壁面に取り付けた場合、壁掛け金具３０がリンク機構３３を構成するリンク部材３３１、３３２、３３３を介して連結され、かつ、左右の支持部材４０、４０が装置本体１０の回動に連動して互いに相反するように伸縮する構成であるため、一方は壁面に押し付けられる方向に、他方は伸びる方向に力が働くこととなり、装置本体１０を壁面に出来るだけ近づけた状態で回動させることができる。
【００３５】
なお、壁掛け金具３０の構造としては、本実施形態に限定されるものではなく、例えば、支持部材４０、４０は二重筒構造としたが、三重以上の多層構造としても良い。
また、装置本体１０の背面上部に更に支持部材を備えても良い。このようにすることで、装置本体１０を壁面に設置する場合に、より安定させることが可能である。
【図面の簡単な説明】
【００３６】
【図１】本発明のテレビジョン受像装置をスタンドに設置した場合の外観斜視図である
【図２】本発明のテレビジョン受像装置の壁掛けユニットの側面図である。
【図３】本発明のテレビジョン受像装置の壁掛けユニットの平面図である。
【図４】図３の壁掛けユニットにおける装置本体を回動させた時の平面図である。
【図５】テレビジョン受像装置背面に備えられた支持部材の斜視図である。
【図６】本発明の壁掛けユニットの機能的な概略構成を示すブロック図である。
【符号の説明】
【００３７】
１  テレビジョン受像装置
１０  装置本体
１５  表示部
１７  操作部
２０  回動軸
２１  回動駆動部
３０  壁掛け金具
３１  本体取付部
３１１  支持部
３２  壁面固定部
３３  リンク機構
３３１、３３２、３３３  リンク部材
４０  支持部材
４１  内側筒体
４２  外側筒体
５０  スタンド
５１  支持部
【図１】
2009278586.tif 000003
【図２】
2009278586.tif 000004
【図３】
2009278586.tif 000005
【図４】
2009278586.tif 000006
【図５】
2009278586.tif 000007
【図６】
2009278586.tif 000008